(57)【要約】【課題】メインテナンス、補修、交換及び取り扱いが容易なファシリティマットを提供する。【解決手段】四角形状の適宜の厚さを有する底板と、該底板の平面外周辺部に接合固定された適宜の長手方向断面形状を有する枠と、前記枠内を等分に平行分割し配設されており、表面に植毛された取り外し自在の複数の四角形状のマットブロックとよりなる、マットユニットを一単位として、該マットユニット一単位で、または複数単位を横および／または縦方向に連結した形で構成したファシリティマット。【選択図】    図１
0003110254.tif 000002
【実用新案登録請求の範囲】
【請求項１】
四角形状の適宜の厚さを有する底板と、該底板の平面外周辺部に接合固定された適宜の長手方向断面形状を有する枠とよりなるユニットベースと、該ユニットベースの枠内を等分に平行分割し配設されており、表面に植毛された取り外し自在の複数の四角形状のマットブロックとよりなる、マットユニットを一単位として、該マットユニット一単位で、または複数単位を横および／または縦方向に連結した形で構成したことを特徴とするファシリティマット。
【請求項２】
前記マットブロックは、前記底板と密着するベース部分と、ベース部分上面全面に植毛された植毛部分とよりなり、植毛部分は所望の性状、形状、色彩および前記枠の上面よりの突出長さを有していることを特徴とする請求項１に記載のファシリティマット。
【請求項３】
前記マットユニットの枠の適宜の長手方向断面形状は、ファシリティマットの最外端に位置する各枠における長手に直角の断面Ｈ（高さ）×Ｂ（巾）に対し、隣接するマットユニット間に位置する各枠における長手に直角の断面が、Ｈ（高さ）×（Ｂ／２）（巾）であることを特徴とする請求項１または２に記載のファシリティマット。
【請求項４】
前記マットユニットは、複数に分割されたマットユニット部分よりなり、該マットユニット部分は、各個別の底板、枠およびマットブロックを有し、且つ隣接するマットユニット部分間における境界を構成する内枠は省略されていることを特徴とする請求項１乃至３のいずれか１項に記載のファシリティマット。
【請求項５】
前記複数に分割されたマットユニット部分よりなるマットユニットにおいて、該マットユニット部分間の接合は、隣接するマットユニット部分の相対する外枠同士の端部が高さ方向に互違いに段差をもって組み合わされており、該段差部分を螺子により接合されていることを特徴とする請求項４に記載のファシリティマット。
【請求項６】
前記平行区分された面内に密接に配設された複数の四角形状のマットブロックの配列において、またはマットユニットの配列において、設置目的に応じて耐摩耗性、除塵性乃至吸水性に優れたものを配設したことを特徴とする請求項１乃至５のいずれか１項に記載のファシリティマット。
【請求項７】
前記四角形状の底板は、適宜の厚さ１．０〜１．８ｍｍであるステンレススチール板であることを特徴とする請求項１乃至６のいずれか１項に記載のファシリティマット。
【請求項８】
前記マットユニットの枠は、前記適宜の長手方向断面形状が、ファシリティマットの最外端に位置する各枠においてＨ（５〜８）ｍｍ×Ｂ（５〜８）ｍｍであり、且つステンレススチール材により構成されていることを特徴とする請求項１乃至７のいずれか１項に記載のファシリティマット。
【請求項９】
前記マットユニットにおける各マットブロックの位置に地番を設け、、別途色彩、画像のデザインをコンピュータにより前記地番相当に区分し、該区分された位置における色彩、画像の仕様により各マットブロックを作成し、該マットブロックを各地番に整合させることを可能とする請求項１乃至８のいずれか１項に記載のファシリティマット。
【考案の詳細な説明】
【技術分野】
【０００１】
本考案は、主としてロビー等の床に敷くファシリティマットに関するものである。
【背景技術】
【０００２】
従来ロビーの床等に敷かれる床敷きマットは、長尺のマット等を床面に直接設置するタイプが多く用いられている。
特にロビーの出入り口に敷かれているマットは部分的に汚れや毛先の損耗が激しく、また、その出入り口部分が建物全体の品位を代表する位置にあることもあって、汚れや損耗に対し早期に補修乃至交換を要求されることが多い。
この場合、交換を要する一部分のために、長尺マットの全体を交換することになり多大の費用と労力を必要とすることになる。マット自身が小さい場合は、マット保持部とマットとの２重構造とし、マットのみを交換するように構成することが行われている。（例えば特許文献１参照）
また、マットのズレ、めくれによる不具合も多く、マットのズレに対する対策も接着面の改良等色々行なわれている。（例えば、特許文献２参照）
【特許文献１】特開２００１−２７５８１９号公報
【特許文献２】特開２００１−３２９６８２号公報
【考案の開示】
【考案が解決しようとする課題】
【０００３】
しかしながら、広いロビー等における長尺のマットについては、マットのズレやまくれに対する対策、即ち十分な床との接着性と、補修交換時の効率のよい作業性とは相反する条件でもあり、また、前記のごとく一部の交換要求に対し、大部をもって交換しなければならないという不経済性が存在し、これに対しての改善が強く望まれていた。
本考案はこれらに鑑み、補修交換の作業性がよく、常に正常な状態を維持可能な機能的且つ、経済的なファシリティマットを提供するところに、その目的がある。
【課題を解決するための手段】
【０００４】
本考案の、ファシリティマット、即ち床敷きタイプの施設マットは、
１）四角形状の適宜の厚さを有する底板と、該底板の平面外周辺部に接合固定された適宜の長手方向断面形状を有する枠とよりなるユニットベースと、該ユニットベースの枠内を等分に平行分割し配設されており、表面に植毛された取り外し自在の複数の四角形状のマットブロックとよりなる、マットユニットを一単位として、該マットユニット一単位で、または複数単位を横および／または縦方向に連結した形で構成したものであり、
２）上述１）において、前記マットブロックが、前記底板と密着するベース部分と、ベース部分上面全面に植毛された植毛部分とよりなり、植毛部分は所望の性状、形状、色彩および前記枠の上面よりの突出長さを有しているものであり、
３）上述１）または２）において、前記マットユニットの枠の適宜の長手方向断面形状を、ファシリティマットの最外端に位置する各枠における長手に直角の断面Ｈ（高さ）×Ｂ（巾）に対し、隣接するマットユニット間に位置する各枠における長手に直角の断面が、Ｈ（高さ）×（Ｂ／２）（巾）としたものであり、
４）上述の１）乃至３）における、前記マットユニットを、複数に分割されたマットユニット部分よりなり、該マットユニット部分は、各個別の底板、枠およびマットブロックを有し、且つ隣接するマットユニット部分間における境界を構成する内枠を省略したものであり、
５）上述の４）における、前記複数に分割されたマットユニット部分よりなるマットユニットにおいて、該マットユニット部分間の接合を、隣接するマットユニット部分の相対する外枠同士の端部が高さ方向に互違いに段差をもって組み合わせ、該段差部分を螺子により接合したものである。
【０００５】
又、本考案の、ファシリティマットは、
６）上述の１）乃至５）において、前記平行区分された面内に密接に配設された複数の四角形状のマットブロックの配列において、またはマットユニットの配列において、設置目的に応じて耐摩耗性、除塵性乃至吸水性に優れたものを配設したものであり、
７）上述の１）乃至６）において、前記四角形状の底板の適宜の厚さを１．０〜１．８ｍｍとし、材料をステンレススチール板としたものであり、
８）上述の１）乃至７）における、前記マットユニットの枠の適宜の長手方向断面形状を、ファシリティマットの最外端に位置する各枠においてＨ（５〜８）ｍｍ×Ｂ（５〜８）ｍｍとし、且つステンレススチール材により構成したものであり、
９）上述の１）乃至８）における、前記マットユニットにおける各マットブロックの位置に地番を設け、、別途色彩、画像のデザインをコンピュータにより前記地番相当に区分し、該区分された位置における色彩、画像の仕様により各マットブロックを作成し、該マットブロックを各地番に整合させることを可能としたものである。
【考案の効果】
【０００６】
本考案の構造により、損傷部分の補修交換が容易に経済的に行われ、常に美観を維持する広い面積を被覆するファシリティマットを提供することが出来る。
【考案を実施するための最良の形態】
【０００７】
図１は、本考案のファシリティマットの１実施例を平面的に示した説明図である。
図２は、図１のマットユニット１枚部分を模式的に示した斜視説明図である。
また、図３は、図１のＡ−Ａ矢視におけるＢ−Ｂ部分の中間を省略して示す拡大平面図、図４は、図１のＣ−Ｃ矢視におけるＢ−Ｂ部分の中間を省略して示す拡大平面図断面説明図である。
図において、１はファシリティマット、２は枠、２０はマットユニット、２１は枠（短辺部）、２２は枠（長辺部）、２３は底板、３はマットブロック、３１はベース部、３２は植毛部分である。
【０００８】
基本的に本考案のファシリティマット１とは、床敷き用の組み合わせタイプの施設マットを意味する。本考案ファシリティマット１は、主として四角形状の適宜の厚さｔを有する底板２３と、該底板２３の平面外周辺部に溶接等により接合固定された適宜の長手方向断面形状を有する枠２１、２２と、前記枠内を等分に平行分割し配設され、且つ表面に植毛された取り外し自在の複数の四角形状のマットブロック３とよりなるマットユニット２０を一単位として、該マットユニット２０の一単位、または複数単位を横および／または縦方向に連結した形で構成されている。
【０００９】
ファシリティマット１を構成するマットユニット２０の連結単位は、要求される施敷の面積により選択されるが、その連結単位の上限は取扱いの便宜上自ずから限界があり、一般的には作業員２人により容易に搬送し得る重量範囲の限界連結数に選択されることが好ましい。
要求の面積が、この限界連結数の面積より大きい場合には、この限界連結数面積のファシリティマット１を更に複数枚連結して施敷する。
マットユニット２０間の連結方法は、隣接する各マットユニット２０の枠の側面サイド所定位置に予め設けられた螺子孔を利用して螺子接合により固定する。螺子にて接合固定する場合には、その螺子の頭部が枠側面より完全に沈むように設計されていることが重要である。
【００１０】
標準的には、前記枠２１、２２は、長手方向に直角の断面が６ｍｍ（高さ）×６ｍｍ（巾）程度の角材により構成されており、また、底板２３は厚さ１．５ｍｍ程度のステンレススチール板により構成されている。マットユニット２０の底板２３の標準面積は、３０００ｍｍ×２０００ｍｍを枠内の内法寸法とし、枠２１、２２の巾寸法分を加えた寸法となる。なお、隣接するマットユニット２０間の境界ラインに相当する枠２１、２２の巾寸法は、標準値６ｍｍの１／２とすることにより、ファシリティマット１全体の見栄えをよくすることができる。
【００１１】
また、前記各マットユニット２０内にはマットブロック３が平面的に密接して配設されている。図１では、１マットユニット２０内に、６×４＝２４枚のマットブロック３が配設されている。マットブロック３は、前記底板２３と密着する軟質塩化ビニール等の材料によるベース部分３１と、ベース部分上面全面に植毛されたナイロン、ポリエステル、ポリプロピレン繊維等による植毛部分３２とよりなっている。
植毛部分３２は、求められる所望の、性状、形状、色彩および前記外枠の上面よりの突出長さを適宜選択される。
即ち、特に玄関まわり、出入り口等に敷かれるマットブロック３としては、植毛部分３２を耐摩耗性、除塵性、吸水性乃至クッション性に優れたものを使用し、該植毛の繊維形状も除塵性のためにはループ状のパイルを、耐摩耗性に対しては強度が比較的大きく材料の太繊維のものを用いることが好ましい。また、吸水性を要求される場合には吸水性ポリエステル繊維を集合繊維の形で使用することもできる。
【００１２】
前記ユニットベースは、ユニットベース要素として１組の底板および枠を一体とした形式と、複数のユニットベース要素を螺子等により接合して一体化する形式とがある。
図５は、２個のユニットベース要素により一体化する場合のユニットベースのユニットベース要素の模式的な説明図であり、（ａ）は平面視説明図、（ｂ）はＤ−Ｄ矢視の断面視説明図である。
図６は、３個のユニットベース要素により一体化する場合のユニットベースのユニットベース要素の模式的な説明図であり、（ａ）は平面視説明図、（ｂ）はＥ−Ｅ矢視の断面視説明図である。
図７は、ユニットベース要素間の接合部である枠端部の接合状態の１例を示す断面参考図である。  
図において、２０１は２個のユニットベース要素の内の一方のユニットベース要素、２０２は同他方のニットベース要素、２０３は３個のユニットベース要素の内の中央のユニットベース要素、２４は中央のユニットベース要素の枠、２２１は２個のユニットベース要素の内の一方のユニットベース要素の枠端部、２２２は同他方のニットベース要素の枠端部、２４１は前記中央のユニットベース要素の一方の枠端部、２４２は同他方の枠端部、２５は接続用ネジを示す。
なお、図１〜４と同じ部分については、同一部番を付し説明を省略する。
【００１３】
即ち、マットユニット２０が、２個の  ユニットベース要素２０１、２０２で構成される場合、予めユニットベース要素２０１、２０２の枠端部２２１、２２２に相対して設けられた螺子孔を利用して螺子２５により接合される。図７においては接合螺子が２個の場合を示しているが、必要によりその個数は適宜選択される。いずれにしても、接合枠端部は枠の上下方向に段差を設けて作成されることが好ましい。また、螺子の端部が枠および底板の外面より突出することは避けられなければならない。
【００１４】
また、通常フロアーに床敷きされるファシリティマット１は、総合的な色彩、画像等のデザインが要求される。
本考案においては、複数のファシリティマット１を施敷する場合を含み、施敷されるマットユニット２０の各マットブロック３位置に予め地番を付し、別途色彩、画像のデザインをコンピュータにより前記地番相当に区分し、各地番相当の色彩画像の植毛部分３２を有するマットブロック３を製作し、各該当地番を付することにより、位置整合を明確迅速し得ることができ、フロアーにおけるファシリティマット１、マットユニット２０およびマットブロック３の敷設、メインテナンス、補修等を効率良く行うことができる。
【００１５】
本考案においては、マットユニット２０は底板２３と外枠２１、２２とが接続固定されているため、マットによる吸水が多くなる場合には、排水ドレンとしての通路を設けることもできる。底板２３と外枠２１、２２底面との接触を、一部クリアランスを設け非連続的に接触固定するとか、底板２３のマットブロック３の底に接する底板２３の部分に少なくとも１個の排水用孔を設けることもできる。
なお、該底板２３に明けられた排水用孔は、マットブロック３のズレ止め手段として兼用することもできる。
また、前記マットブロック３のズレ止めに対しては、マットブロック３と底板２３との接触面における相対的粗さを考慮するなどの、表面抵抗を増すための手段を施すこともできる。
【００１６】
外枠２１、２２及び底板２３の大きさ、厚さ等の寸法仕様は、ファシリティマット１の床敷き施行時の取り扱いの容易さ、および床敷きされるロビー等の許容される平面の凹凸量に対し十分フィットし得る自由度により選択される。
前記２４枚のマットブロック３が配設されているマットユニット２０を９個連接結合したファシリティマット１の１単位の重量は、二人の作業者により容易に採り扱える範囲で選ばれるべきであり、平面フィットネス性を考慮すると、底板２３の厚みは、１〜１．５ｍｍ、また、枠２の長手方向に直角な断面寸法は高さ、巾とも５〜８ｍｍ程度の角状形状の範囲で選ばれることが好ましい。
５ｍｍ以下では強度不足で取り扱い上変形を生じ、またマットブロック３のめくれ等の不具合が生じ思わしくない。また、８ｍｍを越すと表面の見栄えが悪くなるばかりでなく、歩き心地が極めて悪くなる。
ファシリティマット１乃至マットユニット２０の底部の平面度に関しては、床面との接触特に外周部における接触を良好ならしめるために、その重量および施行時に起こり得る変形量を考慮して、予め変位量に相当する量Δを中央部と床面間に付与しておくこともできる。
【００１７】
また、前記植毛部分３２の高さｈ、特に枠２の上面よりの突出高さΔｈは、ファシリティマット１における歩き心地と密接の関係があり、短か過ぎれば外枠２の縁部による抵抗感が生じ、長過ぎると植毛の撓みによるスプリングバックが十分に得られなくなる。従って、植毛の材料弾性率Ｅ、太さｄにより適当な範囲が存在する。
【実施例】
【００１８】
ファシリティマット：長辺および短辺に各３マットユニットの合計９マットユニット連接
各マットユニットにマットブロック２４枚配設
全面積  ９０２４ｍｍ×６０２４ｍｍ
マットユニット：底  板    ステンレス製
角部        ３００９ｍｍ×２００９ｍｍ×１．５ｍｍ（厚さ）
長辺部      ３００６ｍｍ×２００９ｍｍ×１．５ｍｍ（厚さ）
短辺部      ３００９ｍｍ×２００６ｍｍ×１．５ｍｍ（厚さ）
中央部      ３００６ｍｍ×２００６ｍｍ×１．５ｍｍ（厚さ）
枠（長辺部）ステンレス製６ｍｍ×６ｍｍ×３００９（３００６）ｍｍ
枠（短辺部）ステンレス製６ｍｍ×６ｍｍ×２００９（２００６）ｍｍ
マットブロック
ベース部分    軟質塩化ビニール製
５００ｍｍ×５００ｍｍ×３．０ｍｍ
パイル部分     ポリエステル直繊維製
直径ｄ：０．３ｍｍ、０．５ｍｍ、ピッチｐ：１．３ｍｍ千鳥配列
高さｈ：５．５、６．５、７．５、８．５、９．５、１０．５ｍｍ
（突出量Δｈ：２．５、３．５、４．５、５．５、６．５、７．５  ｍｍ）
上記植毛部分３２の異なるマットブロック３を各２１６枚を作成し、ステンレス製マットユニット２０内に各同一植毛種類毎にマットブロック２４枚宛密接配設したものを１単位とし、３×３の９単位を螺子接合しファシリティマットとした。
各ファシリティマット上を試験者３人により各異なるライン上を１０回歩行し、外枠の抵抗感の有無および目視による歩行１分後の植毛のスプリングバック状態を観察した。
各条件毎の測定全データ平均値による結果を図４に示す。
【００１９】
図８の図表に示すように、植毛部分３２の高さｈ、特に枠２の上面よりの突出高さΔｈは、枠２の縁部による歩行抵抗感およびスプリングバックの良否に密接な関係が有ることがわかった。
即ち、直径ｄが０．５ｍｍの場合は、抵抗感およびスプリングバックの良好な高さｈ（突出高さΔｈ）の範囲は、６．５ｍｍ〜８．５ｍｍ（３．５ｍｍ〜５．５ｍｍ）であり、０．３ｍｍ直径では、良好な範囲は高さ７．５ｍｍの場合に限定される。
勿論、本実施例ではポリエステル直繊維のみの試験であり、繊維材料および繊維形状（例えば、ループ状）により適正範囲は変化する。
【産業上の利用可能性】
【００２０】
本考案においては、主としてロビーのフロアー等に敷き占めるファシリティマットに関し記述しているが、同一主旨により、ショッピングセンタ、運動施設、広場（屋内、外）等の広面積用マット、台所用マット、風呂場用マット、自動車用マット等に適用することができる。
【図面の簡単な説明】
【００２１】
【図１】本実施の形態の表面を模式的に示す図である。
【図２】図１におけるマットユニット１枚部分を模式的に示した斜視説明図である。
【図３】図１におけるＡ−Ａ矢視のＢ−Ｂ部を一部省略して模式的に示す平面説明図である。
【図４】図１におけるＣ−Ｃ矢視のＢ−Ｂ部を一部省略して模式的に示す断面説明図である。
【図５】２個のユニットベース要素により一体化する場合のユニットベースのユニットベース要素の模式的な説明図であり、（ａ）は平面視説明図、（ｂ）はＤ−Ｄ矢視の断面視説明図である。
【図６】３個のユニットベース要素により一体化する場合のユニットベースのユニットベース要素の模式的な説明図であり、（ａ）は平面視説明図、（ｂ）はＥ−Ｅ矢視の断面視説明図である。
【図７】ユニットベース要素間の接合部である枠端部の接合状態の１例を示す断面参考図である。
【図８】本実施例による試験結果示す図である。
【符号の説明】
【００２２】
１    ファシリティマット、
２    枠
２０  マットユニット
２１  枠（短辺）
２２  枠（長辺）
２３  底板
２０１  ２個のユニットベース要素の内の一方のユニットベース要素
２０２  同他方のニットベース要素、２０３は３個のユニットベース要素の内の中央のユニットベース要素
２４  中央のユニットベース要素の枠
２２１  ２個のユニットベース要素の内の一方のユニットベース要素の枠端部
２２２  同他方のニットベース要素の枠端部
２４１  前記中央のユニットベース要素の一方の枠端部
２４２  同他方の枠端部
２５    接続用ネジ
３    マットブロック
３１  ベース部分
３２  植毛部分
【図１】
0003110254.tif 000003
【図２】
0003110254.tif 000004
【図３】
0003110254.tif 000005
【図４】
0003110254.tif 000006
【図５】
0003110254.tif 000007
【図６】
0003110254.tif 000008
【図７】
0003110254.tif 000009
【図８】
0003110254.tif 000010